(57)【要約】【課題】小型及び省電力で塗料損失が少なく、効率よく塗装色供給の交換が可能な塗料充填方法及び塗料充填装置を提供する。【解決手段】塗料カートリッジ３５の先端針が接続可能な塗料充填部１１を、塗装色ごとにテーブル２上に配置し、塗装色ごとに塗料を収容する各塗料タンク３０から、より少量の塗料を前記塗料充填部に供給する工程と、前記テーブルを移動し、前記塗料カートリッジの直下にいずれかの塗料充填部を配置する工程と、前記塗料カートリッジの先端針を前記カートリッジ直下の塗料充填部に接続する工程と、を備える。【選択図】図１
2020127930.tif 000002
【特許請求の範囲】
【請求項１】
所定量の塗料を収容する塗料カートリッジへの塗料の充填を前記塗料カートリッジの有する先端針を介して行う塗料充填方法であって、
前記塗料カートリッジの先端針が接続可能な塗料充填部を、塗装色ごとにテーブル上に配置し、塗装色ごとに塗料を収容する各塗料タンクから、より少量の塗料を前記塗料充填部に供給する工程と、
前記テーブルを移動し、前記塗料カートリッジの直下にいずれかの塗料充填部を配置する工程と、
前記塗料カートリッジの先端針を前記カートリッジ直下の塗料充填部に接続する工程と、を備えることを特徴とする塗料充填方法。
【請求項２】
所定量の塗料を収容する塗料カートリッジへの塗料の充填を前記塗料カートリッジの有する先端針を介して行う塗料充填装置であって、
前記塗料カートリッジの先端針が接続可能であって、塗料を収容する塗料タンクから供給される、より少量の塗料を収容する塗料充填部と、
複数の前記塗料充填部が塗装色ごとに配置された充填部切替テーブルと、
前記充填部切替テーブルの上方に配置され、前記塗料カートリッジを保持するカートリッジ保持部と、
前記充填部切替テーブルを移動させ、各塗料充填部を前記カートリッジ保持部の直下に配置可能な充填部移動機構と、を備え、
前記塗料カートリッジを前記カートリッジ保持部に保持させることにより、前記塗料カートリッジの先端針が前記カートリッジ保持部直下の塗料充填部に接続されることを特徴とする塗料充填装置。
【請求項３】
前記充填部切替テーブルは円板状であって、複数の前記塗料充填部が前記充填部切替テーブルの周縁部に配置され、
前記充填部移動機構は、前記充填部切替テーブルを、その中心軸周りに回転させることを特徴とする請求項２に記載された塗料充填装置。
【請求項４】
円板状に形成され、周方向に複数の前記塗料カートリッジを保持可能であって、中心軸周りに回転することによって、保持するいずれかの塗料カートリッジを前記カートリッジ保持部の直上に位置させるカートリッジ切替テーブルと、
前記カートリッジ切替テーブルをその中心軸周りに回転させ、且つ昇降移動させるカートリッジ移動機構とを備えることを特徴とする請求項２または請求項３のいずれかに記載された塗料充填装置。
【発明の詳細な説明】
【技術分野】
【０００１】
本発明は、塗料充填方法及び塗料充填装置に関し、特に、塗料カートリッジへの塗料の充填を効率的に行うことのできる塗料充填方法及び塗料充填装置に関する。
【背景技術】
【０００２】
一般に、自動車のボディ等の被塗物を塗装する塗装システムは、塗装用ロボット等の塗装作業機と、該塗装作業機に取付けられた塗装機と、塗装機に塗料を供給する塗料供給装置とから構成される。
この塗装システムは、前記塗装作業機をプログラムによって動作し、塗装機から塗料を噴霧することにより自動的に塗装を行うことができる。
また、この種の塗装システムにあっては、色替え作業時に廃棄される塗料とシンナーの量を低減すること、及び多色化への対応が要求されている。
【０００３】
多色化に対応できるものとして、例えば特許文献１には、塗装機に対し、複数の塗装色の塗料を少量の単位で選択的に供給できるとともに、塗装色の交換を迅速かつ自動的に行うことができる塗料供給装置が開示されている。
図７に特許文献１に開示された塗料供給装置５０の断面図を示し、図８に塗料供給装置５０の平面図を示す。図示するように、この塗料供給装置５０は、円板状のターンテーブル５１及びその駆動機構５２をアングル枠体５３の中に収容してなる。また、駆動機構５２の有するモータ５４の駆動によって、前記ターンテーブル５１を中央の主軸５５を中心として回転可能としている。このターンテーブル５１の円周上には、例えば５個の塗料タンク５６が等間隔に固定されている。
【０００４】
また、ターンテーブル５１側方のアングル枠体５８上には、塗装機側と接続するためのコネクタ等を含む接続ユニット５７が配置されている。この接続ユニット５７は、塗料コネクタ６３及びこれに組み付けたシリンダ７１と、エアコネクタ６４及びこれに組み付けたシリンダ７２とからなる。
【０００５】
前記塗料コネクタ６３は、塗料ホース（図示せず）の一端が接続され、他端側に接続された塗装機側へ塗料を供給するために用いられる。また前記エアコネクタ６４は、エアホース（図示せず）の一端が接続され、他端側に接続された加圧エア源から圧縮エアが供給されるようになっている。
また、これら塗料コネクタ６３及びエアコネクタ６４は、それぞれシリンダ７１，７２の作動によって、それらに対向する塗料タンク５６側に移動可能に構成されている。
【０００６】
また、塗料供給装置５０は、図示しない制御装置を備え、この制御装置により、ターンテーブル５１を所定の角度回転する度に停止させ、その後必要によりさらに回転を続行するという運転制御を行う。
そして、ターンテーブル５１の回転によって５個の塗料タンク５６が一緒に回り、指定した所定の塗料タンク５６が接続ユニット５７に対向する位置まで回し運ばれるようになっている。
尚、前記５個の塗料タンク５６には、それぞれ異なる塗装色の塗料が満たされており、タンク内の塗料は、攪拌装置６０によって均質に保持されている。
【０００７】
また、各塗料タンク５６には、前記接続ユニット５７の塗料コネクタ６３及びエアコネクタ６４にそれぞれ接続するための塗料用継手６１とエア用継手６２とが設けられている。
即ち、接続ユニット５７側からシリンダ７１、７２の作動によって塗料コネクタ６３及びエアコネクタ６４が塗料タンク５６側に移動し、塗料用継手６１と塗料コネクタ６３とが接続し、エア用継手６２とエアコネクタ６４とが接続するように構成されている。
また、塗料供給装置５０は、洗浄ユニット６５を備えており、ある色の塗装が終了した際には、塗装機までの塗料流路（塗料ホース内など）をシンナー又はエアを用いて洗浄するように構成されている。
【０００８】
このように構成された塗料供給装置５０において、所望の色の塗料を塗装機に供給する際には、ターンテーブル５１を回転させて、その色の塗料タンク５６を接続ユニット５７に対向する位置で停止させる。
そして、接続ユニット５７のシリンダ７１、７２を作動させて、塗料タンク５６の塗料用継手６１に対し塗料コネクタ６３を接続し、エア用継手６２に対しエアコネクタ６４を接続する。
塗料コネクタ６３は塗料ホースを介して塗装機に接続されており、エアコネクタ６４から供給される加圧エアによって、塗料タンク５６から塗装機側に塗料を供給することになる。
【０００９】
このような塗料供給装置を用いることにより、複数の塗装色の塗料を用いて塗装を行う場合には、自動的に所望の色の塗料の供給、洗浄、タンクの交換、次の色の塗料の供給、洗浄、と連続的に自動処理を行うことができる。
【００１０】
一方、特許文献２には、廃棄塗料、シンナーの削減、及び多色化に対応するものとして、塗料カートリッジを用いたカートリッジ式塗装システム（塗装機）が開示されている。
この塗装システムは、各色ごとの塗料が充填されたカートリッジを、自動車のボディを塗装する度に、塗装機に対し交換して取り付けるものである。
このようなカートリッジ式の塗装システムによれば、塗装機において色替えの際の洗浄作業が不要となるため、廃棄する塗料及びシンナーが削減され、多色化への対応が可能となる。
【先行技術文献】
【特許文献】
【００１１】
【特許文献１】特許第３６５８７２０号公報
【特許文献２】特許第３０１３７３４号公報
【発明の概要】
【発明が解決しようとする課題】
【００１２】
ところで、特許文献１に開示された塗料供給装置にあっては、色替えの都度、塗料コネクタ６３に接続された塗料ホースを洗浄する作業が発生するため、塗装色の交換時間短縮に改善の余地が残されていた。また、洗浄の際にシンナー及び塗料の損失が生じていた。この塗料供給側における塗料及びシンナーの損失問題は、特許文献２のように塗装機の塗料をカートリッジ式としても、塗料の供給先がカートリッジとなるだけであり同様に生じる。
【００１３】
また、特許文献１に開示の塗料供給装置にあっては、ターンテーブル５１上に複数の塗料タンク５６を載せる必要があるため、装置が大型化し多数の塗料タンク５６の搭載が困難である上、回転駆動装置等の消費電力も大きくなるという課題があった。
【００１４】
本発明は、前記した点に着目してなされたものであり、塗料カートリッジへの塗料充填において、小型及び省電力で塗料損失が少なく、効率よく塗装色供給の交換が可能な塗料充填方法及び塗料充填装置を提供することを目的とする。
【課題を解決するための手段】
【００１５】
前記した課題を解決するために、本発明に係る塗料充填方法は、所定量の塗料を収容する塗料カートリッジへの塗料の充填を前記塗料カートリッジの有する先端針を介して行う塗料充填方法であって、前記塗料カートリッジの先端針が接続可能な塗料充填部を、塗装色ごとにテーブル上に配置し、塗装色ごとに塗料を収容する各塗料タンクから、より少量の塗料を前記塗料充填部に供給する工程と、前記テーブルを移動し、前記塗料カートリッジの直下にいずれかの塗料充填部を配置する工程と、前記塗料カートリッジの先端針を前記カートリッジ直下の塗料充填部に接続する工程と、を備えることに特徴を有する。
【００１６】
このような方法によれば、各塗装色の供給経路の分離が可能となり、複数のカートリッジに対する色の異なる塗料の充填作業を効率的に行うことができる。また、充填作業において、塗料を異なる色に変更する際の洗浄工程が不要なため塗料及びシンナーの損失を防止することができる。
また、大容量の塗料タンクに比べて小型で軽量となる塗料充填部をテーブルに配置するため、多数の塗料充填部を配置しても、装置を格段に小型化することができ、また、低消費電力の構成とすることができる。
【００１７】
また、前記した課題を解決するために、本発明に係る塗料充填装置は、所定量の塗料を収容する塗料カートリッジへの塗料の充填を前記塗料カートリッジの有する先端針を介して行う塗料充填装置であって、前記塗料カートリッジの先端針が接続可能であって、塗料を収容する塗料タンクから供給される、より少量の塗料を収容する塗料充填部と、複数の前記塗料充填部が塗装色ごとに配置された充填部切替テーブルと、前記充填部切替テーブルの上方に配置され、前記塗料カートリッジを保持するカートリッジ保持部と、前記充填部切替テーブルを移動させ、各塗料充填部を前記カートリッジ保持部の直下に配置可能な充填部移動機構と、を備え、前記塗料カートリッジを前記カートリッジ保持部に保持させることにより、前記塗料カートリッジの先端針が前記カートリッジ保持部直下の塗料充填部に接続されることに特徴を有する。
【００１８】
尚、前記充填部切替テーブルは円板状であって、複数の前記塗料充填部が前記充填部切替テーブルの周縁部に配置され、前記充填部移動機構は、前記充填部切替テーブルを、その中心軸周りに回転させることが望ましい。
【００１９】
また、円板状に形成され、周方向に複数の前記塗料カートリッジを保持可能であって、中心軸周りに回転することによって、保持するいずれかの塗料カートリッジを前記カートリッジ保持部の直上に位置させるカートリッジ切替テーブルと、前記カートリッジ切替テーブルをその中心軸周りに回転させ、且つ昇降移動させるカートリッジ移動機構とを備えることが望ましい。
【００２０】
このように、塗料タンクそのものではなく、より少量の塗料を収容する複数の塗料充填部を充填部切替テーブルに配置し、各塗料充填部に対し塗料カートリッジがその先端針を介して容易に接続可能（充填可能）な構成とした。
これにより各塗装色の供給経路の分離が可能となり、複数のカートリッジに対する色の異なる塗料の充填作業を効率的に行うことができる。また、充填作業において、塗料を異なる色に変更する際の洗浄工程が不要なため塗料及びシンナーの損失を防止することができる。
また、大容量の塗料タンクに比べて小型で軽量となる塗料充填部を充填部切替テーブルに配置するため、多数の塗料充填部を配置しても、装置を格段に小型化することができ、また、低消費電力の構成とすることができる。
【発明の効果】
【００２１】
本発明によれば、塗料カートリッジへの塗料充填において、小型及び省電力で塗料損失が少なく、効率よく塗装色供給の交換が可能な塗料充填方法及び塗料充填装置を提供することができる。
【図面の簡単な説明】
【００２２】
【図１】図１（ａ）は、本発明に係る塗料充填装置を斜め上方からみた模式的な斜視図であり、図１（ｂ）は、図１（ａ）の塗料充填装置の一部を斜め下方からみた斜視図であり、１（ｃ）は、図１（ａ）の状態と異なる塗料充填装置の一部拡大図である。
【図２】図２（ａ）、（ｂ）は、塗料カートリッジの概略構成を示す断面図であって、図２（ａ）は、充填前の状態（吐出後の状態）を示し、図２（ｂ）は、充填した状態を示す。
【図３】図３（ａ）は、図１の塗料充填装置が備える塗料充填部の斜視図であり、図３（ｂ）は、塗料充填部の断面図である。
【図４】図４は、本発明の塗料充填装置を用いて例えば２本の塗料カートリッジにそれぞれ異なる塗料を充填する場合の工程の流れを示すフローである。
【図５】図５（ａ）〜（ｅ）は、図４のフローに対応する本発明の塗料充填装置の状態を示す斜視図である。
【図６】図６は、本発明に係る塗料充填装置の変形例を示す斜視図である。
【図７】図７は、従来の塗料供給装置の構成を示す断面図である。
【図８】図８は、図７の塗料供給装置の平面図である。
【発明を実施するための形態】
【００２３】
以下、本発明にかかる塗料充填方法及び塗料充填装置の実施の形態につき、図面に基づいて説明する。本実施の形態における塗料充填方法及び塗料充填装置は、例えば自動車の外表面等に塗装を行う塗装機にセットされる塗料カートリッジへの塗料の充填工程に用いられる。
【００２４】
図１（ａ）は、本発明に係る塗料充填装置を斜め上方からみた模式的な斜視図であり、図１（ｂ）は塗料充填装置の一部を斜め下方からみた斜視図である。また、図１（ｃ）は、図１（ａ）の状態と異なる塗料充填装置の一部拡大図である。
【００２５】
図１（ａ）乃至図１（ｃ）に示すように塗料充填装置１は、大径円板状の充填部切替テーブル２と、その斜め上方に配置され、前記充填部切替テーブル２と一部重なる状態となされた小径円板状のカートリッジ切替テーブル３とを備える。
また、塗料充填装置１は、前記充填部切替テーブル２を中心軸周りに回転させるためのテーブル回転機構４（充填部移動機構）と、充填部切替テーブル２の回転を停止させた際に充填部切替テーブル２の周方向の回転位置を固定するための位置固定機構５とを備える。
【００２６】
また、塗料充填装置１は、カートリッジ切替テーブル３を中心軸周りに回転させ、且つカートリッジ切替テーブル３を昇降移動させるためのテーブル移動機構６（カートリッジ移動機構）と、塗料カートリッジ３５への充填時に塗料カートリッジ３５を固定するためのカートリッジ保持部７とを備える。
さらに塗料充填装置１は、図１（ａ）に示すように前記テーブル回転機構４、位置固定機構５、テーブル移動機構６等の動作を制御するためのコンピュータからなる制御部１０を備える。
【００２７】
また、本発明に係る塗料充填装置は、前記したように塗料カートリッジ３５への充填を効率よく行うためのものである。図２の断面図に本実施形態で使用可能な塗料カートリッジ３５の概略構成を示す。図２（ａ）は、充填前の状態（吐出後の状態）であり、図２（ｂ）は、充填した状態を示している。
【００２８】
図２（ａ）、（ｂ）に示すように塗料カートリッジ３５は、シリンダ３７の内部空間にピストン板３８を有し、ピストン板３８がシリンダ３７内を摺動することにより塗料収容室３９と押出液室４０の容積が変化するようになっている。
【００２９】
また、塗料収容室３９は、細管状の先端針３６に連通しており、図２（ｂ）に示すように先端針３６が充填部１１に挿入された状態で、塗料が供給されている充填部１１が空の押出液室４０よりも圧力が高くなることにより、室内に充填部１１から塗料が流れ込むようになっている。
【００３０】
また、塗料カートリッジ３５内の塗料を使用する場合には、図２（ａ）に示すように押出液室４０に押出液を供給することで塗料収容室３９の容積が小さくなり、室内の塗料が先端針３６を介して吐出されるようになっている。
【００３１】
また、図１（ａ）乃至図１（ｃ）に示すように、塗料充填装置１の充填部切替テーブル２において、その周縁部には、複数（図では２４個）の塗料充填部１１が等間隔に設けられている。
図３（ａ）、（ｂ）に示すように塗料充填部１１は、例えば、上部開口した有底円筒状の容器本体２１の開口部に樹脂からなる蓋部材２２が嵌合した状態で構成される。蓋部材２２の中央には、塗料カートリッジ３５の先端針３６を挿入可能な挿入孔１１ａが形成され、例えば周縁部には、図１（ａ）に示す塗料タンク３０との間で塗料パイプ１２を接続するための塗料供給孔２２ｂが設けられている。
【００３２】
前記塗料タンク３０は、例えばタンク内が加圧されることによって、塗料パイプ１２を介してタンク外に塗料を供給する。したがって、塗料充填部１１内には、塗料パイプ１２を介して接続された塗料タンク３０からの塗料が供給されるように構成されている。
また、図３（ｂ）に示すように、塗料充填部１１の容器本体２１は、充填部切替テーブル２の周縁部に埋設され、蓋部材２２の周縁に形成されたフランジ２２ａがテーブル上面に係止した状態に取付けられている。
【００３３】
図１（ｃ）に示すように、塗料充填部１１の挿入孔１１ａには、塗料カートリッジ３５の先端針３６が挿入可能となされており、挿入された状態で、塗料カートリッジ３５の押出液室４０と塗料充填部１１との圧力差によりカートリッジ内に塗料が充填されるようになっている。
【００３４】
また、図１（ａ）に示すように、充填部切替テーブル２の周縁部に設けられた複数の塗料充填部１１には、それぞれ色の異なる塗料を収容した複数の塗料タンク３０が、１：１の対応関係で塗料パイプ１２を介して接続され、塗料充填部１１内には常に塗料が各塗料タンク３０から供給される構成となっている（図示する例では最大２４色に対応）。
【００３５】
前記充填部切替テーブル２は、前記したようにテーブル回転機構４により中心軸周りに回転可能である。図１（ｂ）に示すようにテーブル回転機構４は、充填部切替テーブル２の裏面中心部に設けられた第２ギア１８と、これに噛み合い回転させるための第１ギア１９と、第１ギア１９を回転駆動するための駆動モータ２０（ステッピングモータ）とを有する。この駆動モータ２０により第１ギア１９が所定方向に回転すると、第２ギア２０とともに充填部切替テーブル２が回転するように構成されている。尚、充填部切替テーブル２の回転は、±１８０°の回転可能範囲とすることが望ましい。
【００３６】
また、図１（ａ）に示すように充填部切替テーブル２の周縁部には、前記塗料充填部１１の他に、複数のストッパ孔１３が設けられている。これらのストッパ孔１３は、前記位置固定機構５によって利用される。前記位置固定機構５は、垂直方向に延びる昇降ピン１４と、昇降ピン１４を垂直方向に昇降させるための昇降モータ１５とを有する。
【００３７】
前記昇降ピン１４は、上方に移動することにより前記充填部切替テーブル２のストッパ孔１３に挿入され、充填部切替テーブル２に係止可能となされている。それにより充填部切替テーブル２の周方向の位置が固定される。一方、昇降ピン１４が下降し、前記ストッパ孔１３から抜けると、充填部切替テーブル２は、再び周方向に回転可能な状態となる。
【００３８】
また、カートリッジ切替テーブル３は、周方向に沿って複数（図では３つ）の保持孔３ａ〜３ｃを有する。これらの保持孔３ａ〜３ｃは、それぞれ塗料カートリッジ３５を保持するために設けられている。即ち、図示するように塗料カートリッジ３５の上部に形成されたフランジが保持孔３ａ〜３ｃのいずれかに係止することにより保持される。
【００３９】
また、カートリッジ切替テーブル３の中心には、これを支持する支持軸１６が設けられ、この支持軸１６は駆動部１７によって垂直方向に昇降、あるいは軸周り所定方向に回転するようになっている。
また、前記したように充填部切替テーブル２とカートリッジ切替テーブル３とは、一部が縦方向に重なる状態に配置され、その重なる領域の空間（両テーブルに挟まれた空間）には、枠体８上に固定された前記カートリッジ保持部７が設けられている。このカートリッジ保持部７は、上下開口する筒状に形成され、そこに塗料カートリッジ３５を挿し込むことにより、図１（ｃ）に示すように塗料カートリッジ３５を保持可能となされている。
【００４０】
この構成においてカートリッジ切替テーブル３の保持する充填前の塗料カートリッジ３５がカートリッジ保持部７の直上位置に配置され、さらにカートリッジ切替テーブル３が降下すると、前記塗料カートリッジ３５がカートリッジ保持部７に挿入されて保持される。そして、塗料カートリッジ３５の先端針部３６が充填部切替テーブル２の周縁部に設けられた所定の塗料充填部１１の挿入孔１１ａに挿入され、塗料カートリッジ３５への塗料の充填作業が可能となるように構成されている。
【００４１】
続いて、前記塗料充填装置１を用いて例えば２本の塗料カートリッジ３５にそれぞれ異なる塗料を充填する場合の工程について図４のフローに沿って、図５（ａ）乃至図５（ｅ）の状態図を用いながら具体的に説明する。
最初に、充填部切替テーブル２の周縁部に設けた各塗料充填部１１には、塗料タンク３０より、それぞれ異なる色の塗料を充分に供給しておく（図４のステップＳ１）。
【００４２】
次いで制御部１０の指示により、図示しないマテリアルハンドリングロボット（以下、マテハンロボットと称する）が、図５（ａ）に示すように最初の塗料カートリッジ３５−１を塗料充填装置１側に搬送し、カートリッジ切替テーブル３の保持孔３ａに保持させる（図４のステップＳ２）。
【００４３】
制御部１０は、図５（ｂ）に示すようにカートリッジ切替テーブル３を上昇させ、カートリッジ切替テーブル３を周方向に回転させて、カートリッジ保持部７の直上位置に前記塗料カートリッジ３５−１を配置する（図４のステップＳ３）。
【００４４】
一方、昇降ピン１４は下降移動して、充填部切替テーブル２は、所定の塗装色に対応する塗料充填部１１がカートリッジ保持部７の直下に位置するまで回転制御され、図５（ｃ）に示すように昇降ピン１４が上昇してストッパ孔１３に挿入されることによって充填部切替テーブル２の位置決め（固定）がなされる（図４のステップＳ４）。
【００４５】
更にカートリッジ切替テーブル３が下降される。これによりカートリッジ保持部７に塗料カートリッジ３５−１が挿入されて保持され、塗料カートリッジ３５−１の先端針３６がカートリッジ保持部７直下の塗料充填部１１に挿入される（図４のステップＳ５）。即ち、塗料カートリッジ３５−１と塗料充填部１１とが先端針３６を介して接続される。
【００４６】
また、制御部１０の指示により、図示しないマテハンロボットが図５（ｃ）に示すように２つめの塗料カートリッジ３５−２を塗料供給装置１側に搬送し、カートリッジ切替テーブル３の保持孔３ｂに塗料カートリッジ３５−２を保持させる（図４のステップＳ６）。
【００４７】
また、最初の塗料カートリッジ３５−１と塗料充填部１１とが接続された状態で、塗料カートリッジ３５−１の押出液室４０と塗料充填部１１の圧力差により、塗料充填部１１から塗料収容室３９内に塗料が充填される（図４のステップＳ７）。
【００４８】
塗料カートリッジ３５−１への塗料充填が終わると、図５（ｄ）に示すようにカートリッジ切替テーブル３を上昇移動し、周方向に回転して、カートリッジ保持部７の直上に前記塗料カートリッジ３５−２を配置する（図４のステップＳ８）。
【００４９】
一方、昇降ピン１４は下降移動して、充填部切替テーブル２は、所定の塗装色に対応する他の塗料充填部１１がカートリッジ保持部７の直下に位置するまで回転制御される。そして、図５（ｅ）に示すように再び昇降ピン１４が上昇してストッパ孔１３に挿入されることによって充填部切替テーブル２の位置決め（固定）がなされる（図４のステップＳ９）。尚、同じ色の塗料を２つの塗料カートリッジ３５に充填する場合には、このステップは不要である。
【００５０】
更にカートリッジ切替テーブル３を下降させる。これによりカートリッジ保持部７に塗料カートリッジ３５−２が挿入され保持される。また、塗料カートリッジ３５−２の先端針３６がカートリッジ保持部７直下の塗料充填部１１に挿入され、塗料カートリッジ３５−２と塗料充填部１１とが接続される（図４のステップＳ１０）。
【００５１】
そして、塗料カートリッジ３５−２と塗料充填部１１とが接続された状態で、塗料カートリッジ３５−２の押出液室４０と塗料充填部１１との圧力差により塗料カートリッジ３５−２内に塗料が充填される（図４のステップＳ１１）。
また、マテハンロボットにより、塗料カートリッジ３５−１はカートリッジ切替テーブル３から抜き出され、図示しない塗装機へと搬送される（図４のステップＳ１２）。このように本実施形態にあっては、カートリッジ切替テーブル３に３つの保持孔３ａ〜３ｃが設けられているため、新たな塗料カートリッジ３５の搬入と充填済みの塗料カートリッジ３５の搬出とを、他の充填カートリッジ３５への充填作業中に行うことができる。
【００５２】
塗料カートリッジ３５−２への塗料充填が終わると、図５（ｄ）の塗料カートリッジ３５−１と同様にカートリッジ切替テーブル３が上昇移動され、周方向に回転されて、カートリッジ保持部７の直上位置から外される（図４のステップＳ１３）。
そして、マテハンロボットにより、図５（ｅ）の塗料カートリッジ３５−１と同様に、塗料カートリッジ３５−２はカートリッジ切替テーブル３から抜き出され、図示しない塗装機へと搬送される（図４のステップＳ１４）。
【００５３】
以上のように本発明に係る実施の形態によれば、塗料タンクそのものではなく、より少量の塗料を収容する複数の塗料充填部１１を充填部切替テーブル２に配置し、各塗料充填部１１に対し塗料カートリッジ３５がその先端針を介して容易に接続可能（充填可能）な構成とした。
これにより各塗装色の供給経路の分離が可能となり、複数のカートリッジに対する色の異なる塗料の充填作業を効率的に行うことができる。また、充填作業において、塗料を異なる色に変更する際の洗浄工程が不要なため塗料及びシンナーの損失を防止することができる。
また、大容量の塗料タンクに比べて小型で軽量となる塗料充填部１１を充填部切替テーブル２に配置するため、多数の塗料充填部１１を配置しても、装置を格段に小型化することができ、また、低消費電力の構成とすることができる。
【００５４】
尚、前記実施の形態においては、カートリッジ切替テーブル３を設け、これにより３本の塗料カートリッジ３５を同時に搭載可能な構成としたが、本発明にあっては、この構成に限定されるものではない。
例えば、カートリッジ切替テーブル３を具備せず、マテハンロボットにより１本の塗料カートリッジ３５をカートリッジ保持部７に直接的に挿す構成としてもよい。
また、カートリッジ切替テーブル３を具備する場合、同時に保持可能な塗料カートリッジ３５の数は３本に限定されるものではなく、２本でも、あるいは４本以上でもよい。
【００５５】
また、前記実施形態にあっては、充填部切替テーブル２を円板状とし、その周縁部に設けた各充填部１１をテーブルの回転によってカートリッジ保持部７の直下に位置させることが可能な構成としたが、本発明にあっては、その構成に限定されるものではない。
例えば、円板状の充填部切替テーブル２に替えて、図６に示すように長板状の充填部切替テーブル２Ａを設け、その面上にＸＹ軸方向に沿って複数の塗料充填部１１を配列する。そして、２軸移動機構９により充填部切替テーブル２ＡをＸＹ２軸方向に移動させ、いずれかの塗料充填部１１をカートリッジ保持部７の直下に位置させるように構成してもよい。
【符号の説明】
【００５６】
１          塗料充填装置
２          充填部切替テーブル
２Ａ        充填部切替テーブル
３          カートリッジ切替テーブル
４          テーブル回転機構（充填部移動機構）
５          位置固定機構
６          テーブル移動機構（カートリッジ移動機構）
７          カートリッジ保持部
１０        制御部
１１        塗料充填部
１３        ストッパ孔
３５        塗料カートリッジ
３６        先端針
【図１】
2020127930.tif 000003
【図２】
2020127930.tif 000004
【図３】
2020127930.tif 000005
【図４】
2020127930.tif 000006
【図５】
2020127930.tif 000007
【図６】
2020127930.tif 000008
【図７】
2020127930.tif 000009
【図８】
2020127930.tif 000010